(57)【要約】【課題】屋根上を自由に移動でき、安定した足場を維持することができる屋根上用の歩行補助板を提供すること。【解決手段】歩行補助板１は、足が固定される上部プレート部２と、上部プレート部２の下側に配置され、上部プレート部２を、上部プレート部２の下面から垂直方向に突出する軸部２２を中心に支持する下部プレート部３と、下部プレート部３の下側に配置される下側支持部７と、下部プレート部３と下側支持部７との間に配置され下側支持部７に対する下部プレート部３の角度を調整する角度調整部６とを備える。【選択図】図１
2010189890.tif 000002
【特許請求の範囲】
【請求項１】
屋根上の歩行を補助する歩行補助板であって、
足が固定される上部プレート部と、
前記上部プレート部の下面側に配置され、前記上部プレート部の下面から垂直方向に突出する回転軸を中心に前記上部プレート部を回転可能に支持する下部プレート部と、
前記下部プレート部の下側に配置され、前記上部プレート部の外周より大きい外周に形成された枠部及び前記枠部の内側に形成された網部と、を有する下側支持部と、
前記下部プレート部と前記下側支持部との間に配置され、前記下側支持部に対する前記下部プレート部の角度を調整する角度調整部と、を備える歩行補助板。
【請求項２】
前記上部プレート部と前記下部プレート部との間に配置され、前記上部プレート部を上方向に付勢する弾性部材をさらに有し、
前記下部プレート部は、前記下部プレート部の上面に上方向に向かって突出する凸部を有すると共に、前記上部プレート部は、前記凸部と嵌合可能な複数の凹部を有し、
前記凸部は、前記上部プレート部が下方向に付勢された場合に前記複数の凹部のうちのいずれかの凹部と嵌合する請求項１に記載の歩行補助板。
【請求項３】
前記角度調整部は、
前記下部プレート部の下面に固定され、複数の貫通孔を有する第１角度調整板と、
前記下側支持部の上面に固定され、前記複数の貫通孔のいずれかと連通する固定孔が形成された第２角度調整板と、
前記複数の貫通孔のいずれか及び前記固定孔を連通し、前記第１角度調整板を前記第２角度調整板に固定する固定部材と、
前記第１角度調整板と前記第２角度調整板とを回動可能に連結する連結部材と、を有する請求項１又は２に記載の歩行補助板。
【発明の詳細な説明】
【技術分野】
【０００１】
本発明は、屋根、特にスレート屋根およびこれに類似した形状の折版屋根（以下スレート屋根という）上の歩行を補助する歩行補助板に関する。
【背景技術】
【０００２】
スレート屋根は、外気に触れる部分であり天候の変化の影響を直接受ける部分であるので定期的なメンテナンスを必要とする。従来、スレート屋根の改修方法としては、スレート屋根を葺き替えたり、既存のスレート屋根の上に新たなスレート屋根を重ねたり、また、スレート屋根の上面に塗料を塗り直したりする等の方法がある。
【０００３】
このうち、屋根の葺き替えやスレートおよびこれに類似した形状の折版（以下スレートという）を重ねる方法では、大がかりな設備が必要となり、費用がかさんでしまう。また、塗料を塗り直す場合は、屋根上に高圧洗浄を行ったあと専用の塗料を塗るという工程を踏む必要がある。いずれの工程においても作業中に屋根上を移動する必要があるが、通常は専用の足場を組んで作業を行ったり、作業者が直接屋根の上を歩行して作業したりする。足場を組む場合は基本的に大規模な工事が必要となり、費用がかさむ場合がある。また、靴で屋根上を移動する場合には、屋根上は傾斜がある上、スレート屋根は波状に形成されていることが多く、足下が非常に不安定である。そこで、作業者がスレート屋根を自由に移動できる作業用の足場板が提案されている（例えば特許文献１参照）。
【先行技術文献】
【特許文献】
【０００４】
【特許文献１】特許第４１４７２５０号公報
【発明の概要】
【発明が解決しようとする課題】
【０００５】
特許文献１の足場板は、足場板の裏面に波状のスレート屋根の曲部に合わせた凸部を有しており、面で体を支えるものである。しかし、足場板の裏面がスレート屋根の形状に合わせて波状に形成されるために足の向きが一方向に固定されてしまい、作業効率が悪くなる。また、足場板の裏面とスレート屋根とが面接触することで接触面全体に荷重がかかり、経時的に劣化してもろくなったスレート屋根が抜けて落下する危険性がある。また、スレート屋根の傾斜により作業者の体勢が不安定となり、屋根から落下する危険性もある。
【０００６】
そこで、本発明は、屋根上を安定した姿勢で自由に移動でき、作業の妨げにならないスレート屋根上用の歩行補助板を提供することを目的とする。
【課題を解決するための手段】
【０００７】
本発明に係る歩行補助板は、屋根上の歩行を補助する歩行補助板であって、足が固定される上部プレート部と、前記上部プレート部の下面側に配置され、前記上部プレート部の下面から垂直方向に突出する回転軸を中心に前記上部プレート部を回転可能に支持する下部プレート部と、前記下部プレート部の下側に配置され、前記上部プレート部の外周より大きい外周に形成された枠部及び前記枠部の内側に形成された網部と、を有する下側支持部と、前記下部プレート部と前記下側支持部との間に配置され、前記下側支持部に対する前記下部プレート部の角度を調整する角度調整部と、を備えることを特徴とする。
【０００８】
本発明に係る歩行補助板は、前記上部プレート部と前記下部プレート部との間に配置され、前記上部プレート部を上方向に付勢する弾性部材をさらに有し、前記下部プレート部は、前記下部プレート部の上面に上方向に向かって突出する凸部を有すると共に、前記上部プレート部は、前記凸部と嵌合可能な複数の凹部を有し、前記凸部は、前記上部プレート部が下方向に付勢された場合に前記複数の凹部のうちのいずれかの凹部と嵌合することを特徴とする。
【０００９】
本発明に係る歩行補助板の前記角度調整部は、さらに、前記下部プレート部の下面に固定され、複数の貫通孔を有する第１角度調整板と、前記下側支持部の上面に固定され、前記複数の貫通孔のいずれかと連通する固定孔が形成された第２角度調整板と、前記複数の貫通孔のいずれか及び前記固定孔を連通し、前記第１角度調整板を前記第２角度調整板に固定する固定部材と、前記第１角度調整板と前記第２角度調整板とを回動可能に連結する連結部材と、を有することを特徴とする。
【発明の効果】
【００１０】
本発明によれば、屋根上を自由に移動でき、安定した足場を維持することができる屋根上用の歩行補助板を提供することができる。
【図面の簡単な説明】
【００１１】
【図１】本発明の一実施形態である歩行補助板の斜視図である。
【図２】図１のＸ−Ｘ方向断面図である。
【図３】本発明の一実施形態である歩行補助板の側面図である。
【図４】本発明の一実施形態である角度調整部の分解斜視図である。
【図５】本発明の一実施形態である角度調整部の正面図である。
【図６】本発明の一実施形態である歩行補助板の使用状態を示す図である。
【発明を実施するための形態】
【００１２】
以下、本発明の歩行補助板１の好ましい実施形態について図面を参照しながら説明する。
【００１３】
図１から図３を参照して歩行補助板１について説明する。図１は、歩行補助板１の斜視図である。図２は、図１のＸ−Ｘ方向断面図である。図３は、図１の矢印Ｒ方向から見た歩行補助板１の側面図である。
【００１４】
歩行補助板１は、作業者の足が固定される上部プレート部２と、上部プレート部２の下面側に配置され、上部プレート部２を回転可能に支持する下部プレート部３と、下部プレート部３のさらに下面側に配置される下側支持部７と、下部プレート部３と下側支持部７との間に配置され、下部プレート部３と下側支持部７との間の角度を調整する角度調整部６と、を備える。
【００１５】
上部プレート部２は、上部プレート本体２０と、上部プレート本体２０の上面に配置された２本の固定紐２１と、上部プレート本体２０の下面から垂直方向に突出する軸部２２と、軸部２２の周囲に配置された上部軸支持部２３と、を備える。
【００１６】
上部プレート本体２０は、略楕円形状をなしており、上部プレート本体２０の下面には、中心部から略同心円状に所定間隔をおいて形成された複数の凹部２４が設けられる（図３参照）。本実施形態では、凹部２４は４つ設けられている。
【００１７】
２本の固定紐２１は、それぞれ、両端部が互いに離間して固定されており、固定された両端部間の距離よりも紐の長さを長く形成することで、紐が湾曲した状態で上部プレート部２から突出した状態となっている。２本の固定紐２１は互いに長さが異なる。作業者は、足のつま先を２本の固定紐２１の湾曲部分に差し込むことで、足を上部プレート部２に固定することができる。
【００１８】
軸部２２は、上部プレート本体２０の下面の中心に配置され、上部プレート本体２０の下面から略垂直に突出する。軸部２２は、後述の下部プレート部３の軸孔３１に挿通され、下部プレート部３の下面側に突出する。そして、軸部２２の先端には、ストッパ２２１が設けられる。
ストッパ２２１は、略円形をなしており、後述の下部プレート部３の軸孔３１よりも大きい直径を有する。このストッパ２２１は、下部プレート部３の下面側に位置し、上部プレート本体２０が持ち上げられた場合に下部プレート本体３０の下面に当接して、上部プレート部２と下部プレート部３とが分離しないように保持をする。
【００１９】
上部軸支持部２３は、軸部２２を中心として、軸部２２の周縁に沿って略同心円状に連続的に設けられている。
【００２０】
下部プレート部３は、下部プレート本体３０と、下部プレート本体３０の中心部に形成された軸孔３１と、下部プレート本体３０の上面から突出する複数の凸部３２と、軸孔３１の周囲に配置された下部軸支持部３３と、を備える。
【００２１】
下部プレート本体３０は、略円形に形成され、上部プレート本体２０の下面側に、上部プレート本体２０の下面に対して略平行に配置される。
【００２２】
軸孔３１は、下部プレート本体３０の中心に形成された貫通孔である。この軸孔３１には、上部プレート本体２０の下面から突出する軸部２２が挿通される。
【００２３】
下部プレート本体３０の上面には、中心部から略同心円状に所定間隔をおいて形成された複数の凸部３２が設けられる。凸部３２は、本実施形態では２つ設けられており、下部プレート部３の中心部を通る直線上に軸孔３１を挟んでそれぞれ形成されている。そして、凸部３２は、上部プレート本体２０の下面に形成された複数の凹部２４のいずれかとそれぞれ嵌合する。
【００２４】
下部軸支持部３３は、軸孔３１を中心として、軸孔３１から所定距離を離した同心円状に連続的に設けられている。この下部軸支持部３３は、上部プレート本体２０の下面から突出する上部軸支持部２３の内側に挿入される。すなわち、上部軸支持部２３と下部軸支持部３３とは、軸部２２を中心に、互いに嵌合するような位置関係となる。これにより、下部プレート部３が上部プレート部２を回転可能に支持すると共に、上部プレート部２と下部プレート部３とが互いに横方向にずれることを防止する。
【００２５】
また、上部プレート部２と下部プレート部３との間には、弾性部材として２つのバネ４が設けられる。２つのバネ４は、下部プレート本体３０の上面に、下部プレート本体３０の中心部を通る直線上に、軸孔３１を挟んでそれぞれ配置される。バネ４は、下部プレート本体３０のみに固定され、上部プレート本体２０には固定されない。そして、バネ４は、バネ４の上端が上部プレート本体２０の下面に当接し、上部プレート部２を上方向に付勢する。
【００２６】
図３から図５を参照して角度調整部６について説明する。図４は、角度調整部６の分解斜視図である。図５は、角度調整部６の正面図である。
【００２７】
角度調整部６は、下部プレート部３の下面に固定された第１角度調整板６１と、第１角度調整板６１に重ね合わされ、下側支持部７に固定された第２角度調整板６２と、第２角度調整板６２に対する第１角度調整板６１の角度を固定する固定部材となる固定棒６３と、第１角度調整板６１と第２角度調整板６２とを回動可能に連結する連結部材６４と、を備える。角度調整部６は、下部プレート部３と下側支持部７との間に設けられ、下側支持部７に対する下部プレート部３の角度を調整する。そして、角度調整部６は２組設けられており、下部プレート本体３０の下面側に互いに平行となるように配置される。
【００２８】
第１角度調整板６１は、図３に示すように、扇形をなしており、扇形の弧に沿って形成された複数の角度調整孔６１１と、中心角の部分に形成された一つの連結孔６１２と、を備える。第１角度調整板６１は、第１角度調整板６１の上辺となる部分の側面が下部プレート本体３０の下面に固定され、下部プレート本体３０に対して略垂直に配置される（図２参照）。
【００２９】
複数の角度調整孔６１１は、第１角度調整板６１の底辺に沿うように形成された貫通孔である。複数の角度調整孔６１１は、それぞれ、第２角度調整板６２の固定孔６２１に連通可能な位置に形成され、複数の角度調整孔６１１のいずれかが、第２角度調整板６２の固定孔６２１に連通する。
【００３０】
連結孔６１２は、第１角度調整板６１の頂点付近に一つ形成された貫通孔である。この連結孔６１２は、第２角度調整板６２の第２連結孔６２２と連通し、連結部材６４により第１角度調整板６１と第２角度調整板６２とを互いに回動可能に連結する。
【００３１】
第２角度調整板６２は、略直角三角形状に形成され、底辺が後述の下側支持部本体７１に固定される。第２角度調整板６２は、斜辺近傍の所定位置に形成された固定孔６２１と、頂点近傍に形成された第２連結孔６２２と、を備える。
【００３２】
固定孔６２１は、第２角度調整板６２の斜辺近傍に形成された貫通孔であり、第１角度調整板６１に設けられた複数の角度調整孔６１１のいずれかと連通する。
【００３３】
第２連結孔６２２は、第２角度調整板６２の頂点付近に形成された貫通孔である。第２連結孔６２２は、第２角度調整板６２に重ね合わせた第１角度調整板６１の連結孔６１２と連通する。
【００３４】
図４及び図５を用いて第１角度調整板６１と第２角度調整板６２との連結について説明する。
【００３５】
第１角度調整板６１と第２角度調整板６２とは、連結部材６４により連結される。連結部材６４は、連結軸６４１及び２つの固定リング６４２から構成される。
【００３６】
まず、図４に示すように、第１角度調整板６１の連結孔６１２と第２角度調整板６２の第２連結孔６２２とを重ね合わせ、連結軸６４１を挿通する。そして、重ね合わせた第１角度調整板６１と第２角度調整板６２のそれぞれ外側に突出した連結軸６４１の両側に（図５参照）、それぞれ固定リング６４２をはめ込み、固定する。固定リング６４２は、例えば、Ｅリング、Ｃリング等のスナップリングやＯリング、ナットなど、第２角度調整板６２に対して第１角度調整板６１が回動可能に連結できるものであればよい。
【００３７】
このように、第１角度調整板６１は、第２角度調整板６２と連結部材６４により連結されると共に、下部プレート部３に固定されており、また、第２角度調整板６２は、第１角度調整板６１と連結部材６４により連結されると共に下側支持部７に固定されている。したがって、下部プレート部３と下側支持部７とは、第１角度調整板６１と第２角度調整板６２とを連結する連結部材６４により間接的に接続されている。
【００３８】
第１角度調整板６１の複数の角度調整孔６１１、第２角度調整板６２の固定孔６２１及び固定棒６３は、下側支持部７に対する下部プレート部３の角度を調整するために使用される。
【００３９】
角度を固定するには、第１角度調整板６１に形成された複数の角度調整孔６１１のうちいずれかの角度調整孔６１１を、第２角度調整板６２の固定孔６２１に重ね合わせ、これに固定棒６３を挿通させることにより行う。
【００４０】
第１角度調整板６１は下部プレート部３に固定されているので、第２角度調整板６２の固定孔６２１に合わせる角度調整孔６１１の位置に応じて、下側支持部７に対する下部プレート本体３０の下面の角度が変更される。作業者は、好みの角度となるように角度調整孔６１１を固定孔６２１に合わせて固定棒６３を挿入し、角度を固定する。
【００４１】
図１から図３を参照して、下側支持部７について説明する。下側支持部７は、下部プレート部３の下側に配置される下側支持部本体７１と、その外側に配置された枠部７２と、下側支持部本体７１と枠部７２との間に形成された網部７３とにより構成される。
【００４２】
下側支持部本体７１は、略円形のプレートであり、２つの第２角度調整板６２が配置される。
【００４３】
枠部７２は、下側支持部本体７１の外方向を囲むように配置される。枠部７２は、上部プレート部２の外周よりも大きくなるように形成されることが好ましい。歩行補助板１の最下部であり、スレート屋根１０と接する部分であるので下側の面積を広くし、安定させるためである。
【００４４】
網部７３は、下側支持部本体７１と枠部７２との間に設けられる。網部７３は、紐状の部材により形成された網状の部材であり、下側支持部本体７１と枠部７２との間に配置されて、下側支持部本体７１と枠部７２とを接続する。
【００４５】
図６を参照して、歩行補助板１の使用状態について説明する。図６は、歩行補助板１の使用状態を示す図である。
【００４６】
最初に作業者は、角度調整部６により、下側支持部７に対する上部プレート部２及び下部プレート部３の角度を調整する。すなわち、歩行補助板１をスレート屋根１０の上に置いた場合の、スレート屋根１０に対する上部プレート部２の角度を調整する。
【００４７】
詳細には、作業者は、下部プレート部３を持ち上げて、地面に接する下側支持部７に対して、足１２を乗せる上部プレート部２の角度を検討する。このとき、下部プレート部３に第１角度調整板６１が固定されているので、下部プレート部３を動かすと、これに伴い第１角度調整板６１が連結部材６４により固定されている連結孔６１２を中心に回動する。そして、合わせたい角度に近い角度となる角度調整孔６１１を固定孔６２１と重ね合わせ、固定棒６３を挿入して固定する。
【００４８】
次に、作業者は、足１２のつま先を上部プレート部２上面の固定紐２１に差し込み、足１２を上部プレート部２に固定する。作業者はこのまま歩行補助板１を履いたまま移動できる。例えば、歩行補助板１をスレート屋根１０に乗せた場合に、上部プレート部２の上面が平行となるような角度に角度調整部６で調整した場合には、図６に示すような状態となる。すなわち、作業者は、傾斜のあるスレート屋根１０の上であっても、足１２の裏面を地面に略平行の状態に維持したままスレート屋根１０の上を歩いて移動することができる。
【００４９】
作業者が体の向きを変える場合には、作業者は体重を移動させて上部プレート部２にかける荷重を解放する。すると、バネ４により上部プレート部２が上側に付勢され、上部プレート部２裏面の凹部２４と下部プレート部３上面の凸部３２との嵌合が開放される（図３の状態となる）。これにより、下部プレート部３以下の部分の向きを変えることなく、上部プレート部２の向きを、上部プレート部２の軸部２２を中心に回転させて変えることが可能となる。このとき、歩行補助板１自体をスレート屋根１０から離す必要がない。
【００５０】
作業者は、上部プレート部２の向きを変えた後、再び上部プレート部２に対して下方向への荷重をかける。すると、上部プレート部２を上方向に付勢していたバネ４が収縮し、上部プレート部２の凹部２４と下部プレート部３の凸部３２とが再度嵌合する（図６の状態となる）。これにより、上部プレート部２の回転方向への動きが抑制され、上部プレート部２の向きを固定できる。
【００５１】
上述の実施形態によれば、歩行補助板１は、足が固定される上部プレート部２と、上部プレート部２の下側に配置され、上部プレート部２に対して垂直方向に突出する回転軸となる軸部２２を中心に、上部プレート部２を回転可能に支持する下部プレート部３と、下部プレート部３の下側に配置される下側支持部７と、下部プレート部３と下側支持部７との間に配置され下側支持部７に対する下部プレート部３の角度を調整する角度調整部６とを備える。これにより、スレート屋根１０などの斜面で作業する際であっても、角度調整部６により姿勢を地上と同じ姿勢に維持することができ、かつ歩行補助板１をスレート屋根１０から離さなくても足の向きを変えることができる。したがって、スレート屋根１０上で作業する際の安全性を向上させ、作業効率も上げることができる。また、歩行補助板１は、作業者が履くことができるので、足場を設置して移動させる手間がなく、作業効率を上げることができる。
【００５２】
上述の実施形態によれば、歩行補助板１の下側支持部７は、上部プレート部２の外周より大きい外周に形成された枠部７２と、枠部７２の内側に形成された網部７３と、を有する。これにより、歩行補助板１の接地面を大きくすることができるので、安定した歩行補助板１を提供することができる。また、網部７３により接地面において所定の弾力性が提供されるので、波状のスレート屋根１０の上に歩行補助板１が載せられた場合であってもスレート屋根１０の形状に合わせて網部７３が変形するので、安定性が妨げられることがない。
【００５３】
上述の実施形態によれば、歩行補助板１は、上部プレート部２と下部プレート部３との間に配置され、上部プレート部２を上方向に付勢する弾性部材となるバネ４を備え、上部プレート部２は、下面側に形成された凹部２４を有し、下部プレート部３は上面に形成された凸部３２を有する。これにより、バネ４で上方向に付勢されている上部プレート部２に下方向への荷重がかかった場合、凹部２４と凸部３２とが嵌合して、上部プレート部２の向きが回転方向に移動することを抑制する。したがって、歩行補助板１を履いた作業者は、体重を移動させて上部プレート部２にかかる荷重を開放して上部プレート部２の向きを変え、さらに上部プレート部２に下方向に体重をかけるだけで上部プレート部２の向きをロックすることができる。
【００５４】
上述の実施形態によれば、歩行補助板１の角度調整部６は下部プレート部３の下面に縦方向に固定された第１角度調整板６１と、下側支持部７の上面に縦方向に固定された第２角度調整板６２とを有する。第１角度調整板６１と第２角度調整板６２とは、互いに重ね合わされ、連結部材６４により回動可能に連結されている。
【００５５】
また、第１角度調整板６１には複数の角度調整孔６１１が形成されており、複数の角度調整孔６１１のうちいずれかの角度調整孔６１１と、第２角度調整板６２に形成された固定孔６２１とを重ね合わせ、固定部材となる固定棒６３を挿入すると、下側支持部７に対する下部プレート部３の角度が固定される。
【００５６】
これにより、下側支持部７に対する下部プレート部３の角度を任意に変更することができると共に、その角度を固定することができる。そして、歩行補助板１をスレート屋根１０の上に置いた場合に、スレート屋根１０の斜面に合わせて角度調整部６の角度を調整することにより、斜面においても作業者の足裏を水平に維持することができる。そして、作業者は、安定した姿勢で作業することができる。
【００５７】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【００５８】
例えば、上述の実施形態では、角度調整部６として、第１角度調整板６１と第２角度調整板６２とを備え、第１角度調整板６１に形成された複数の角度調整孔６１１のうちいずれかの角度調整孔６１１と第２角度調整板６２の固定孔６２１とを重ねあわせ、固定棒６３を挿入することにより角度を固定するとしたが、これに限らない。例えば、リクライニングチェアー等に用いられる角度調整機構を角度調整部６として採用することができる。
【００５９】
また、上述の実施形態では、上部プレート部２の上面には固定紐２１を備え、固定紐２１により作業者の足を固定するとしたがこれに限らない。例えば、上部プレート部２と所定の作業用ブーツ等とを一体化したものであってもよい。これらの足の固定については任意の方法を採用することができる。
【００６０】
また、上述の実施形態では、下側支持部７は、下側支持部本体７１と枠部７２とを備え、下側支持部本体７１と枠部７２との間に網部７３を有するとしたが、これに限らない。例えば、下側支持部本体７１の下面側においても網部やクッションとなるような部材を備えるとしてもよい。これにより、下側支持部本体７１の裏面側もスレート屋根１０の形状に合わせる等、安定性を向上することができる。
【００６１】
また、上述の実施形態では、歩行補助板１は、略楕円形の上部プレート部２、略円形の下部プレート部３及び下側支持部７を備えるとしたが、これに限らない。例えば、これらの形状は、円形、四角形、三角形等任意の形状であってよい。
【００６２】
また、上述の実施形態では、本発明に係る歩行補助板１は、スレート屋根１０の上を歩行するために使用するものとしているが、これに限らない。例えば、スレート屋根１０に限らず、傾斜のついた構造物を歩行する際にも適用することができる。
【符号の説明】
【００６３】
１  歩行補助板
２  上部プレート部
３  下部プレート部
４  バネ
６  角度調整部
７  下側支持部
２０  上部プレート本体
２２  軸部
２４  凹部
３０  下部プレート本体
３２  凸部
６１  第１角度調整板
６２  第２角度調整板
６３  固定棒
６４  連結部材
７１  下側支持部本体
７２  枠部
７３  網部
６１１  角度調整孔
６２１  固定孔
【図１】
2010189890.tif 000003
【図２】
2010189890.tif 000004
【図３】
2010189890.tif 000005
【図４】
2010189890.tif 000006
【図５】
2010189890.tif 000007
【図６】
2010189890.tif 000008